(57)【要約】      （修正有）【課題】磁気ヘッドの可動位置の可動範囲の限界位置を規制する。【解決手段】第一端部に連結されたヘッドジンバルアセンブリ１１６を回転させるためにディスク装置に用いられるボイスコイルモータ１０６であり、ボイスコイルモータの第一端部とは反対側に位置するボイスコイルモータの第二端部から突出する少なくとも１つの突出部６０２を備え、ボイスコイルモータは、再生及び／又は記録動作、及び、磁気ヘッドの載置動作のために、ヘッドジンバルアセンブリに連結された磁気ヘッドを可動するよう回転可能であり、突出部は、ボイスコイルモータが回転不可能な第一最大位置及び第二最大位置を規定するよう設置されたピン６０４と接触して協働するよう、ボイスコイルモータ上に配置されている。【選択図】図６
2008198346.tif 000002
【特許請求の範囲】
【請求項１】
第一端部に連結されたヘッドジンバルアセンブリを回転させるためにディスク装置に用いられるボイスコイルモータであって、
ボイスコイルモータの前記第一端部とは反対側に位置する当該ボイスコイルモータの第二端部から突出する少なくとも１つの突出部を備え、
前記ボイスコイルモータは、再生及び／又は記録動作、及び、磁気ヘッドの載置動作のために、前記ヘッドジンバルアセンブリに連結された磁気ヘッドを可動するよう回転可能であり、
前記突出部は、前記ボイスコイルモータが回転不可能な第一最大位置及び第二最大位置を規定するよう設置されたピンと接触して協働するよう、ボイスコイルモータ上に配置されている、
ことを特徴とするボイスコイルモータ。
【請求項２】
ボイルコイルモータの外周に形成されたオーバーモールド部を備えた、
ことを特徴とする請求項１記載のボイスコイルモータ。
【請求項３】
前記突出部は、前記オーバーモールド部上に形成されている、
ことを特徴とする請求項２記載のボイスコイルモータ。
【請求項４】
前記突出部は、前記オーバーモールド部から突出して形成されている、
ことを特徴とする請求項２又は３記載のボイスコイルモータ。
【請求項５】
前記第一最大位置は、記録／再生動作中において前記ボイスコイルモータが回転不可能なロード限界位置であり、前記第二最大位置は、前記磁気ヘッドを載置するときにおいて前記ボイスコイルモータが回転不可能な停止限界位置である、
ことを特徴とする請求項１，２，３又は４記載のボイスコイルモータ。
【請求項６】
前記第一最大位置は、前記ピンに接触する前記突出部によって規定されており、前記第二最大位置は、前記ピンに接触するボイスコイルモータによって規定されている、
ことを特徴とする請求項１，２，３，４又は５記載のボイルコイルモータ。
【請求項７】
前記突出部は、ベース部と、当該ベース部から延びる２本の脚部と、を有する略Ｕ字状である、
ことを特徴とする請求項１，２，３，４，５又は６記載のボイスコイルモータ。
【請求項８】
前記略Ｕ字状突出部の前記脚部は、前記第一最大位置及び第二最大位置を規定している、
ことを特徴とする請求項７記載のボイスコイルモータ。
【請求項９】
前記ピンと接触して協働するよう、ボイスコイルモータに配置される第一突出部及び第二突出部を備えた、
ことを特徴とする請求項１，２，３，４，５，６，７又は８記載のボイスコイルモータ。
【請求項１０】
前記第一突出部は、前記第一最大位置を定義し、前記第二突出部は、前記第二最大位置を定義している、
ことを特徴とする請求項９記載のボイスコイルモータ。
【請求項１１】
ディスクと、当該ディスクを回転させるスピンドルモータと、ピンと、第一端部に連結されたヘッドジンバルアセンブリを回転させるためにディスク装置に用いられるボイスコイルモータと、を備え、
前記ボイスコイルモータの前記第一端部とは反対側に位置する当該ボイスコイルモータの第二端部から突出する少なくとも１つの突出部を備え、
前記ボイスコイルモータは、再生及び／又は記録動作、及び、磁気ヘッドの載置動作のために、前記ヘッドジンバルアセンブリに連結された磁気ヘッドを可動するよう回転可能であり、
前記突出部は、前記ボイスコイルモータが回転不可能な第一最大位置及び第二最大位置を規定するよう設置されたピンと接触して協働するよう、ボイスコイルモータ上に配置されている、
ことを特徴とするディスク装置。
【請求項１２】
ボイルコイルモータの外周に形成されたオーバーモールド部を備えた、
ことを特徴とする請求項１１記載のディスク装置。
【請求項１３】
前記突出部は、前記オーバーモールド部上に形成されている、
ことを特徴とする請求項１２記載のディスク装置。
【請求項１４】
前記突出部は、前記オーバーモールド部から突出して形成されている、
ことを特徴とする請求項１２又は１３記載のディスク装置。
【請求項１５】
前記第一最大位置は、記録／再生動作中において前記ボイスコイルモータが回転不可能なロード限界位置であり、前記第二最大位置は、前記磁気ヘッドを載置するときにおいて前記ボイスコイルモータが回転不可能な停止限界位置である、
ことを特徴とする請求項１１，１２，１３又は１４記載のディスク装置。
【請求項１６】
前記第一最大位置は、前記ピンに接触する前記突出部によって規定されており、前記第二最大位置は、前記ピンに接触するボイスコイルモータによって規定されている、
ことを特徴とする請求項１１，１２，１３，１４又は１５記載のディスク装置。
【請求項１７】
前記突出部は、ベース部と、当該ベース部から延びる２本の脚部と、を有する略Ｕ字状である、
ことを特徴とする請求項１１，１２，１３，１４，１５又は１６記載のディスク装置。
【請求項１８】
前記略Ｕ字状突出部の前記脚部は、前記第一最大位置及び第二最大位置を規定している、
ことを特徴とする請求項１７記載のディスク装置。
【請求項１９】
前記ピンと接触して協働するよう、ボイスコイルモータに配置される第一突出部及び第二突出部を備えた、
ことを特徴とする請求項１１，１２，１３，１４，１５，１６，１７又は１８記載のディスク装置。
【請求項２０】
前記第一突出部は、前記第一最大位置を定義し、前記第二突出部は、前記第二最大位置を定義している、
ことを特徴とする請求項１９記載のディスク装置。
【請求項２１】
ボイスコイルモータの第一端部に連結されたヘッドジンバルアセンブリを回転させるためにディスク装置に用いられるボイスコイルモータの製造方法であって、
前記ボイスコイルモータの前記第一端部とは反対側に位置する当該ボイスコイルモータの第二端部から突出する少なくとも１つの突出部を設ける工程を有し、
前記突出部は、前記ボイスコイルモータが回転不可能な第一最大位置及び第二最大位置を規定するよう設置されたピンと接触して協働するよう、ボイスコイルモータ上に配置されている、
ことを特徴とするボイスコイルモータの製造方法。
【請求項２２】
ボイルコイルモータの外周にオーバーモールド部を形成する工程を有する、
ことを特徴とする請求項２１記載のボイスコイルモータの製造方法。
【請求項２３】
前記オーバーモールド部に前記突出部を連結して設ける工程を有する、
ことを特徴とする請求項２２記載のボイスコイルモータの製造方法。
【請求項２４】
前記オーバーモールド部から前記突出部を突出して形成する工程を有する、
ことを特徴とする請求項２２又は２３記載のボイスコイルモータの製造方法。
【請求項２５】
ディスク装置の製造方法であって、
ディスクを備える工程と、
当該ディスクを回転させるスピンドルモータを備える工程と、
ピンを備える工程と、
請求項２１乃至２４記載のボイスコイルモータの製造方法にて製造された前記ボイスコイルモータを備える工程と、
を有するディスク装置の製造方法。
【請求項２６】
磁気ヘッドスライダと、この磁気ヘッドスライダを先端部に搭載したヘッドジンバルアセンブリと、このヘッドジンバルアセンブリを連結したサスペンションアームと、このサスペンションアームを回転可能に軸支するベアリングと、前記磁気ヘッドスライダをディスクに対してロード／アンロードするよう前記ベアリングを支点として前記サスペンションアームを回転させるボイスコイルと、を備えたヘッドスタックアセンブリであって、
ヘッドスタックアセンブリが搭載されるディスク装置内に設けられた１つのピンに、前記磁気ヘッドスライダの前記ディスクに対するロード時、及び、アンロード時に、それぞれ当接してヘッドスタックアセンブリの回転を係止する２箇所の当接部を備えた、
ことを特徴とするヘッドスタックアセンブリ。
【請求項２７】
前記２箇所の当接部のうち、一方の前記当接部は、前記磁気ヘッドスライダの前記ディスクへのロード方向における予め設定された回転限界位置にて前記ピンと当接してヘッドスタックアセンブリの回転を係止するよう位置し、
他方の前記当接部は、前記磁気ヘッドスライダの前記ディスクからのアンロード方向における予め設定された回転限界位置にて前記ピンと当接してヘッドスタックアセンブリの回転を係止するよう位置する、
ことを特徴とする請求項２６記載のヘッドスタックアセンブリ。
【請求項２８】
前記２箇所の当接部は、前記ピンを挟んで位置する、
ことを特徴とする請求項２６又は２７記載のヘッドスタックアセンブリ。
【請求項２９】
前記２箇所の当接部の少なくとも１つは、ヘッドスタックアセンブリから突出する突出部の一部である、
ことを特徴とする請求項２６，２７又は２８記載のヘッドスタックアセンブリ。
【請求項３０】
前記２箇所の当接部は、ヘッドスタックアセンブリ自体の外周部の一部と、前記突出部の一部と、である、
ことを特徴とする請求項２９記載のヘッドスタックアセンブリ。
【請求項３１】
前記外周部は、前記ボイスコイルの外周に形成されたコイル外周部である、
ことを特徴とする請求項３０記載のヘッドスタックアセンブリ。
【請求項３２】
前記突出部は、前記コイル外周部が延設されて形成されている、
ことを特徴とする請求項３１記載のヘッドスタックアセンブリ。
【請求項３３】
前記２箇所の当接部のうち少なくとも１箇所は、凹状に形成されている、
ことを特徴とする請求項２６，２７，２８，２９，３０，３１又は３２記載のヘッドスタックアセンブリ。
【請求項３４】
前記２つの当接部は、前記ヘッドスタックアセンブリからそれぞれ突出する２つの突出部の各一部である、
ことを特徴とする請求項２６，２７，２８，２９，３０，３１，３２又は３３記載のヘッドスタックアセンブリ。
【請求項３５】
ディスクと、当該ディスクを回転させるスピンドルモータと、ヘッドスタックアセンブリと、このヘッドスタックアセンブリを回転駆動するボイスコイルモータと、を備えたディスク装置であって、
ディスク装置内に固定装備された１つのピンを備え、
前記ヘッドスタックアセンブリは、
磁気ヘッドスライダと、この磁気ヘッドスライダを先端部に搭載したヘッドジンバルアセンブリと、このヘッドジンバルアセンブリを連結したサスペンションアームと、このサスペンションアームを回転可能に軸支するベアリングと、前記磁気ヘッドスライダをディスクに対してロード／アンロードするよう前記ベアリングを支点として前記サスペンションアームを回転させるボイスコイルと、を備えると共に、前記ピンに前記磁気ヘッドスライダの前記ディスクに対するロード時及びアンロード時にそれぞれ当接して前記ヘッドスタックアセンブリの回転を係止する２箇所の当接部を備えた、
ことを特徴とするディスク装置。
【請求項３６】
前記２箇所の当接部のうち一方の前記当接部及び前記ピンは、前記磁気ヘッドスライダの前記ディスクへのロード方向における予め設定された回転限界位置にて相互に当接して前記ヘッドスタックアセンブリの回転を係止するよう位置し、
他方の前記当接部及び前記ピンは、前記磁気ヘッドスライダの前記ディスクからのアンロード方向における予め設定された回転限界位置にて相互に当接してヘッドスタックアセンブリの回転を係止するよう位置する、
ことを特徴とする請求項３５記載のディスク装置。
【請求項３７】
前記ピンは、前記ボイスコイルモータを構成する磁石をディスク装置内に固定する固定部材である、
ことを特徴とする請求項３５又は３６記載のディスク装置。
【発明の詳細な説明】
【技術分野】
【０００１】
本発明は、情報を記憶するにディスク装置にかかり、特に、磁気ヘッドの位置を制御するための１つのストッパーピンを有するディスク装置及びその製造方法に関する。
【背景技術】
【０００２】
情報記録装置として、データ記憶用の磁気ディスクと、選択的に磁気ディスクに書き込みあるいは磁気ディスクから読み出すために当該磁気ディスク上で位置決めされる可動記録再生ヘッドと、を備えたディスク装置が知られている。
【０００３】
図１は、典型的なディスク装置２の部分的な概略図を示している。図１に示すように、ディスク装置は、データ記憶媒体として磁気ディスク１００を備えており、この磁気ディスク１００は、高速にディスク１００を回転させるスピンドルモータに搭載されている。そして、一定の速度にディスク１００の回転を保つよう、当該ディスク１００の最上層にクランプ１０４が搭載されている。また、ボイスコイルモータ（ＶＣＭ）１０６（図１では、カバー１０８の下に配置されているため、部分的にのみ図示されている）は、ベアリング１１０を支点としてサスペンション１１２の可動を制御し、これにより、スライダに搭載されている磁気ヘッド（図示せず）、つまり、ヘッドジンバルアセンブリ（ＨＧＡ）１１６のノーズ部１１４に搭載された磁気ヘッドを制御する。従って、ＶＣＭ１０６は、ディスク１００に対してデータを記録再生するよう、ディスク１００の表面においてトラック間を移動させるべく、磁気ヘッドを可動させる。
【０００４】
そして、上記磁気ヘッドの微小位置決めは、例えば、下記特許文献１，２，３，４に開示されているように、マイクロアクチュエータ（例えば、２段ＰＺＴマイクロアクチュエータ）によって実現されうる。
【０００５】
ここで、スライダが可動しないときに当該スライダが載置されるランプ１１８は、磁気ヘッドとディスク１００を、外力やクラッシュなどによる衝撃によって生じるような損傷から守る役割を果たす。また、フレキシブルケーブル（１２０）は、例えば、ＶＣＭ１０６などに電気的に接続される。また、ベース１２２は、フレーム１２４によって囲まれており、上述した各構成要素を支持している。
【０００６】
図２は、図１に開示した典型的なディスク装置の部分的な概略図であり、説明のために図１に開示された多くの要素を取り除いたものである。図２に示すように、例えば、カバー１０８の下に２つのストッパーピン２００ａ，２００ｂが備えられている。ストッパーピン２００ａ，２００ｂは、磁気ヘッドが記録再生位置及びアンロード位置にある場合における、当該磁気ヘッドを支持するヘッドジンバルアセンブリに連結されたボイスコイルモータの外周の位置にそれぞれ対応して配置されている。これにより、ＶＣＭは、ストッパーピン２００ａ，２００ｂによって規定された位置を通り過ぎて回転することはない。そして、図２に示すように、上記２つのストッパーピン２００ａ，２００ｂは、ベース１２２から上方に突出して形成されている。なお、ストッパーピン２００ａ，２００ｂは、例えば、成型体、機械的なアセンブリ、あるいは、いかなる手段によって形成されていてもよい。
【０００７】
図３に示すように、電流がＶＣＭ１０６に流れると、ＨＧＡ（ヘッドジンバルアセンブリ）１１６は、この電流による制御信号によってディスク１００上のトラックに対応するロード位置に回転する。このとき、ＨＧＡ１１６に制御ミスが生じたとしても、ストッパーピン２００ａを最大ロード位置（あるいは、ロード限界位置）に設定することによって、磁気ヘッドがクランプ１０４に衝突する機会を減少させることができる。つまり、図３は、図２に示したストッパーピン２００ａを最大ロード位置あるいはロード限界位置に設定したときの様子を示している。
【０００８】
また、図４に示すように、ディスク装置の電源が切れると（あるいは、停止状態となると）、ＶＣＭ１１６に供給される制御信号がなくなる、あるいは、不適当な制御信号が供給されると、ＨＧＡ１１６は、フレックスバイアスフォースによってアンロード位置に戻り、また、磁気ヘッドは、ランプ１１８上に載置される。これにより、例えば、磁気ヘッド及び／あるいはディスク１００を損傷（例えば、外力、衝撃などによる損傷）から防ぎ、次回のディスク装置が作動するときに磁気ヘッドを容易にロードすることを可能としている。つまり、図４は、図２に示したストッパーピン２００ｂを最大アンロード位置あるいはアンロード限界位置に設定したときの様子を示している。
【０００９】
【特許文献１】特開２００２−１４４８０３号公報
【特許文献２】米国特許第６６７１１３１号明細書
【特許文献３】米国特許第６７００７４９号明細書
【特許文献４】米国特許出願公開第２００３／０１６８９３５号明細書
【発明の開示】
【発明が解決しようとする課題】
【００１０】
そして、上述した構成は、そもそも典型的なディスク装置に適しているが、さらにまだ改良が可能である。例えば、通常は、ディスク装置の電源を切る過程で、あるいは、既に電源が切られたときには、正確なアンロード位置に制御するための制御信号、及び／あるいは、位置を維持するための制御信号がない。従って、磁気ヘッド及び／あるいはＨＧＡ１１６全体が、ベース１２２及び／あるいはディスク１００にクラッシュする可能性があり、このクラッシュによってディスク装置を構成する要素に損傷を与える可能性がある。同様に、ＦＰＣ１２０の曲げを制御することは難しく、例えば、ＨＧＡ１１６のアンロード位置を決定させるため、及び、磁気ヘッドをランプに載置するために、供給される適切なフレックスバイアスフォースを発生させることは難しい。従って、ストッパーピン２００ｂの必要性は乏しく、加えて、お互いに離れて配置されている２つのストッパーピンの存在は、ディスク装置全体のサイズの増加をもたらす。
【００１１】
従って、磁気ヘッドの可動位置の外側限界位置、つまり、可動範囲の限界位置を制御するための改良された技術が必要とされている。
【課題を解決するための手段】
【００１２】
本発明の第一の特徴は、ディスク装置において磁気ヘッドの可動位置の外側限界を設定するために用いられる１つのストッパーピンにある。また、本発明の他の特徴は、ディスク装置において磁気ヘッドの可動位置の外側限界を設定するために用いられる１つのストッパーピンと連携するよう設計されたコイルオーバーモールド突出部にある。さらに、本発明の他の特徴は、より小型化されたディスク装置にある。
【００１３】
そして、本発明の一形態は、第一端部に連結されたヘッドジンバルアセンブリを回転させるためにディスク装置に用いられるボイスコイルモータである。そして、上記ボイスコイルモータの第一端部とは反対側に位置する当該ボイスコイルモータの第二端部から突出する少なくとも１つの突出部を備えている。また、上記ボイスコイルモータは、再生及び／又は記録動作、及び、磁気ヘッドの載置動作のために、ヘッドジンバルアセンブリに連結された磁気ヘッドを可動するよう回転可能である。さらに、上記突出部は、ボイスコイルモータが回転不可能な第一最大位置及び第二最大位置を規定するよう設置されたピンと接触して協働するよう、ボイスコイルモータ上に配置されている、という構成を採る。
【００１４】
また、本発明の他の形態は、ディスク装置であって、ディスクと、当該ディスクを回転させるスピンドルモータと、ピンと、第一端部に連結されたヘッドジンバルアセンブリを回転させるためにディスク装置に用いられるボイスコイルモータと、を備えている。そして、上記ボイスコイルモータの第一端部とは反対側に位置する当該ボイスコイルモータの第二端部から突出する少なくとも１つの突出部を備えている。また、上記ボイスコイルモータは、再生及び／又は記録動作、及び、磁気ヘッドの載置動作のために、ヘッドジンバルアセンブリに連結された磁気ヘッドを可動するよう回転可能である。さらに、上記突出部は、ボイスコイルモータが回転不可能な第一最大位置及び第二最大位置を規定するよう設置されたピンと接触して協働するよう、ボイスコイルモータ上に配置されている、という構成を採る。
【００１５】
また、本発明の他の形態は、ボイスコイルモータの第一端部に連結されたヘッドジンバルアセンブリを回転させるためにディスク装置に用いられるボイスコイルモータの製造方法である。そして、上記ボイスコイルモータの第一端部とは反対側に位置する当該ボイスコイルモータの第二端部から突出する少なくとも１つの突出部を設ける工程を有する。さらに、上記突出部は、ボイスコイルモータが回転不可能な第一最大位置及び第二最大位置を規定するよう設置されたピンと接触して協働するよう、ボイスコイルモータ上に配置されている、という構成を採る。
【００１６】
そして、本発明の実施形態においては、上記第一最大位置は、記録／再生動作中においてボイスコイルモータが回転不可能なロード限界位置であり、上記第二最大位置は、磁気ヘッドを載置するときにおいてボイスコイルモータが回転不可能な停止限界位置である。
【００１７】
また、本発明の他の形態であるヘッドスタックアセンブリは、
磁気ヘッドスライダと、この磁気ヘッドスライダを先端部に搭載したヘッドジンバルアセンブリと、このヘッドジンバルアセンブリを連結したサスペンションアームと、このサスペンションアームを回転可能に軸支するベアリングと、磁気ヘッドスライダをディスクに対してロード／アンロードするようベアリングを支点としてサスペンションアームを回転させるボイスコイルと、を備えたヘッドスタックアセンブリであって、
ヘッドスタックアセンブリが搭載されるディスク装置内に設けられた１つのピンに、磁気ヘッドスライダのディスクに対するロード時、及び、アンロード時に、それぞれ当接してヘッドスタックアセンブリの回転を係止する２箇所の当接部を備えた、
という構成を採る。
【００１８】
そして、上記２箇所の当接部のうち、一方の当接部は、磁気ヘッドスライダのディスクへのロード方向における予め設定された回転限界位置にてピンと当接してヘッドスタックアセンブリの回転を係止するよう位置し、他方の前記当接部は、磁気ヘッドスライダのディスクからのアンロード方向における予め設定された回転限界位置にてピンと当接してヘッドスタックアセンブリの回転を係止するよう位置する、という構成を採る。また、上記２箇所の当接部は、例えば、ピンを挟んで位置する。
【００１９】
また、例えば、上記２箇所の当接部の少なくとも１つは、ヘッドスタックアセンブリから突出する突出部の一部である。また、例えば、上記２箇所の当接部は、ヘッドスタックアセンブリ自体の外周部の一部と、突出部の一部と、である。さらに、上記外周部は、例えば、ボイスコイルの外周に形成されたコイル外周部であり、また、上記突出部は、上記コイル外周部が延設されて形成されている。また、上記２箇所の当接部のうち少なくとも１箇所は、例えば、凹状に形成されている。また、上記２つの当接部は、ヘッドスタックアセンブリからそれぞれ突出する２つの突出部の各一部であってもよい。
【００２０】
また、本発明の他の形態であるディスク装置は、
ディスクと、当該ディスクを回転させるスピンドルモータと、ヘッドスタックアセンブリと、このヘッドスタックアセンブリを回転駆動するボイスコイルモータと、を備えたディスク装置であって、
ディスク装置内に固定装備された１つのピンを備え、
上記ヘッドスタックアセンブリは、
磁気ヘッドスライダと、この磁気ヘッドスライダを先端部に搭載したヘッドジンバルアセンブリと、このヘッドジンバルアセンブリを連結したサスペンションアームと、このサスペンションアームを回転可能に軸支するベアリングと、磁気ヘッドスライダをディスクに対してロード／アンロードするようベアリングを支点としてサスペンションアームを回転させるボイスコイルと、を備えると共に、上記ピンに磁気ヘッドスライダのディスクに対するロード時及びアンロード時にそれぞれ当接してヘッドスタックアセンブリの回転を係止する２箇所の当接部を備えた、という構成を採る。
【００２１】
そして、上記２箇所の当接部のうち一方の当接部及び前記ピンは、磁気ヘッドスライダのディスクへのロード方向における予め設定された回転限界位置にて相互に当接してヘッドスタックアセンブリの回転を係止するよう位置し、他方の当接部及びピンは、磁気ヘッドスライダのディスクからのアンロード方向における予め設定された回転限界位置にて相互に当接してヘッドスタックアセンブリの回転を係止するよう位置する、という構成を採る。
【００２２】
なお、本発明の他の特徴や効果は、本発明の本質の一例を説明する一部である添付の図面と共に以下の実施形態にて詳細に説明する。
【発明の効果】
【００２３】
本発明は、以上のように構成されるため、ＨＧＡ及び／又は磁気ヘッドが、ディスク装置のディスクあるいは他の部分にクラッシュする可能性を減少させ、ディスク装置自体の信頼性の向上を図ることができる。また、ディスク装置の小型化も図ることができる。
【発明を実施するための最良の形態】
【００２４】
＜実施形態１＞
一般的に、２つの分離したストッパーピンは、磁気ヘッドの最大記録再生位置及び最大アンロード位置を規定するものである。このようなピンは、例えば、磁気ヘッドやＶＣＭ、ディスクなど、ディスク装置に装備された１つあるいはそれ以上の構成要素に損傷を生じさせうる過回転を防止するよう、ＨＧＡの遠心端の回転を停止するよう機能する。特に、ＶＣＭは、その外周に形成されたオーバーモールド部を有しており、一方のストッパーピンは、ＨＧＡが記録再生動作中にスピンドルモータのクランプにクラッシュする可能性を低減させるようオーバーモールド部に接触して回転を停止する。そして、他のストッパーピンは、ディスク装置の電源が切られたときに、ＨＧＡをディスクから離れた位置に維持するようオーバーモールド部を保持している。このため、上記従来技術によると、両方のピンが必要とされ、追加の機械的構造と、当該ピンを形成するスペースが必要とされていた。
【００２５】
これに対して、本発明では、１つのストッパーピンのみを必要としている。そして、突出部が、オーバーモールド部から突出しており、この突出部自体は、１つのストッパーピンと接触して協働しる。具体的に、１つのストッパーピンとオーバーモールド部及び突出部とは、ＨＧＡが、記録再生動作中にスピンドルモータのクランプにクラッシュする可能性を減少させうる。その上、ディスク装置の電源が切られたときには、ＨＧＡ及び／又は磁気ヘッドが、ディスク装置のディスクあるいは他の部分にクラッシュする可能性を減少させうる。従って、本発明では、簡易化された１つのストッパーピン及び突出部を設計する方法により、ディスク装置のサイズを減少させることができる。このため、図５に示すように、ＶＣＭ１０６は、オーバーモールド部（図５では視認できないが、図６と図７を参照すると図示されている）を有しており、１つのストッパーピンと接触するオーバーモールド突出部６０２を含む（図６、図７に図示）。
【００２６】
図６及び図７は、ストッパーピン６０４に接触して協働するオーバーモールド部６００及びオーバーモールド突出部６０２を示している。図６及び図７のオーバーモールド突出部６０２は、１つの突出部として表されている。しかしながら、本発明では、このような形状に限定されない。例えば、後述するように、略Ｕ字状のオーバーモールド突出部というように、オーバーモールド突出部６０２として他の形状のものを使用してもよい。なお、図５と図１との比較から、本実施形態では、簡易化された構成を有するディスク装置が可能となる。
【００２７】
続いて、図６を参照してさらに説明する。図６は、記録再生状態であるＨＧＡと、１つのストッパーピン６０４と接触して協働するオーバーモールド突出部６０２が形成されたＶＣＭオーバーモールド６００とを有するディスク装置の部分概略図である。かかる構成にて、ＶＣＭ１０６に電流が流れると、ＨＧＡ１１６はディスク１００のトラックに対して回転する。そして、ＨＧＡ１１６の回転を制止できなくなる状況が生じると、ＶＣＭオーバーモールド６００は、ストッパーピン６０４に接触し、それによって、ヘッドクラッシュ（例えば、クランプ１０４へのクラッシュ）を防止でき、当該ヘッドクラッシュの機会が減少する。
【００２８】
同様に、図６、図７は、磁気ヘッドがランプ１１８に載置状態であるＨＧＡと、１つのストッパーピン６０４と接触して協働するオーバーモールド突出部６０２が形成されたＶＣＭオーバーモールド６００とを有するディスク装置の部分概略図である。図７に示すように、ディスク装置の電源が切られると（あるいは、停止状態となると）、ＶＣＭ１０６に供給される制御信号がなくなる、あるいは、不適切な制御信号が印加されている状態となる。すると、ＨＧＡ１１６は、フレックスバイアスフォース（ａ  ｆｌｅｘ  ｂｉａｓ  ｆｏｒｃｅ）によって、アンロード位置に回転し、磁気ヘッドがランプ１１８上に載置される。これにより、例えば、磁気ヘッド及び／あるいはディスク１００を損傷（例えば、外力が衝撃などによる損傷）から防ぐことができ、また、次回にディスク装置が可動するときに容易にロードが可能となる。そして、オーバーモールド突出部６０２は、載置位置の限界に位置すると、ストッパーピン６０４に接触し、これによって、磁気ヘッドがランプ上に正確に載置されることを確実に実行でき、及び／あるいは、ディスク装置の構成の損傷（例えば、過回転によって生じる損傷）の可能性を減少させる。
【００２９】
＜実施形態２＞
また、他の実施形態では、オーバーモールド突出部は、略Ｕ字状である。そして、ストッパーピン６０４は、Ｕ字状オーバーモールド突出部の空洞部分内に配置され、オーバーモールド突出部の両脚部（両端）が少なくとも部分的にストッパーピン６０４を囲うよう配置される。従って、略Ｕ字状オーバーモールド突出部の一方の脚部が、ロード限界位置を設定しうる（なお、図６では、ＶＣＭオーバーモールド６００自体がロード限界位置に対応している）。また、略Ｕ字状オーバーモールド突出部の他方の脚部が、載置限界位置を設定している（同様に、図６では、オーバーモールド突出部６０２が対応している）。このように、オーバーモールド突出部を略Ｕ字状に形成することで、ストッパーピンと協働して最大回転位置を設定する１以上（例えば、２）の突出部が、同様にＶＣＭ上に配置されている。
【００３０】
ここで、上記実施形態では、オーバーモールド突出部を有するＶＣＭオーバーモールドに関するものを説明したが、本発明は、上述したものに限定されない。つまり、１つのストッパーピンに接触して協働するよう対応してＶＣＭから突出した突出部であれば、いかなるものが使用されてもよい。従って、突出部自体がＶＣＭモールドから延設されている必要は無い。さらに、突出部は、ＶＣＭオーバーモールドと同じ材質にて形成されていてもよく、又は、ＶＣＭオーバーモールドに、あるいは、ＶＣＭ自体に、一体化してあるいは連結していかなる方法で形成されていてもよい。
【００３１】
また、ストッパーピン６０４は、いかなる材料にて形成されていてもよい。例えば、ストッパーピン６０４は、成型によって突出して延設されていてもよく、機械的に組み付けられるなど、他のいかなる手段によって形成されていてもよい。また、ＶＣＭオーバーモールドは、いかなる材料にて形成されていてもよい。
【００３２】
＜実施形態３＞
次に、本発明の第３の実施形態を、図８乃至図１１を参照して説明する。図８は、本実施形態におけるディスク装置の構成を示す概略図である。図９乃至図１０は、ディスク装置の動作を示す図である。図１１は、ディスク装置の構成の変形例を示す図である。
【００３３】
図８に示すように、本実施形態におけるディスク装置は、上述した実施形態にて説明したディスク装置とほぼ同様の構成を備えている。つまり、ディスク装置は、磁気ディスク１００と、当該磁気ディスク１００を回転させるスピンドルモータ１０２と、ヘッドスタックアセンブリ２００と、このヘッドスタックアセンブリ２００を回転駆動するボイスコイルモータと、を備えている。なお、磁気ディスク１０４の中心付近の最上層には、当該磁気ディスク１００の回転を一定の速度に保つよう、クランプ１０４が搭載されている。さらに、磁気ディスク１００の外周の所定箇所には、磁気ヘッドスライダのアンロード時に、当該磁気ヘッドスライダが磁気ディスク１００上から退避され載置されるランプ１１８を備えられている。
【００３４】
また、ディスク装置の筐体内、具体的に、筐体の底面を構成するベース１２２には、当該ベース１２２から上方に突出して固定装備された、１つのストッパーピン６０４（ピン）が設けられている。このストッパーピン６０４は、上述同様に、ヘッドスタックアセンブリ２００の回転を係止するために用いられる。特に、本実施形態では、ストッパーピン６０４は、上記ボイスコイルモータを構成する磁石、つまり、ボイスコイルと協働してヘッドスタックアセンブリ２００を回転させる磁石を、ベース１２２に固定する固定部材である。従って、ストッパーピン６０４の下端部には、例えばネジが形成されていて、磁石をベース１２２に固定するよう機能し、ストッパーピン６０４の上端側には、後述するようにヘッドスタックアセンブリ２００に形成された当接部６０１ａ，６０２ａが当接して、当該ヘッドスタックアセンブリ２００の回転を係止するよう機能する。
【００３５】
また、ヘッドスタックアセンブリ２００は、上述同様に、磁気ヘッドスライダ（図示せず）を先端部に搭載したヘッドジンバルアセンブリ１１６（ＨＧＡ）と、このヘッドジンバルアセンブリ１１６を連結したサスペンションアーム１１２と、このサスペンションアーム１１２を回転可能に軸支するベアリング１１０と、を備えている。また、ヘッドスタックアセンブリ２００は、磁気ヘッドスライダを磁気ディスク１００に対してロード／アンロードするようベアリング１１０を支点としてサスペンションアーム１１２つまりヘッドスタックアセンブリ２００自体を回転させるボイスコイルモータの一部であるボイスコイル１０６ａを備えている。さらに、ヘッドスタックアセンブリ２００は、上記ベース１２２から突出したストッパーピン６０４に、磁気ヘッドスライダの磁気ディスク１００に対するロード時及びアンロード時にそれぞれ当接してヘッドスタックアセンブリ２００の回転を係止する２箇所の当接部６０１ａ，６０２ａを備えている。
【００３６】
そして、２箇所の当接部６０１ａ，６０２ａは、図８の斜線部分に示すように、ボイスコイル１０６ａの外周、換言すると、当該ボイスコイル１０６ａを内部に保持するオーバーモールド部６００、及び、このオーバーモールド部６００が延設されて構成されたオーバーモールド突出部６０２、にそれぞれ形成されている。なお、図８では、オーバーモールド部６００の形成位置及び形状を視認し易くするために、当該オーバーモールド部６００を斜線にて図示している。
【００３７】
さらに具体的に、上述した２箇所の当接部６０１ａ，６０２ａについて説明する。まず、一箇所の当接部６０１ａは、図９に示すように、オーバーモールド部６００のうち、ボイルコイル１０６ａの外周部分（コイル外周部）の一部の外表面にて形成されている。これにより、図９の矢印Ｙ２に示すように、磁気ヘッドスライダを磁気ディスク１００上にロードするよう半時計回り方向に回転させる際には、矢印Ｙ１に示すようにベアリング１１０を挟んで他端側に位置するボイスコイル１０６ａを当該ベアリング１１０を中心として同一の半時計回り方向に回転するが、このとき所定の回転角度に達すると、上記当接部６０１ａはストッパーピン６０４と当接して、ヘッドスタックアセンブリ２００の回転を係止する。なお、オーバーモールド部６００の当接部６０１ａとストッパーピン６０４とが当接するときのヘッドスタックアセンブリ２００の回転角度は、磁気ヘッドスライダがロード方向（スピンドルモーター方向）に、これ以上の回転が制限されている角度である。従って、オーバーモールド部６００の当接部６０１ａの位置と、ストッパーピン６０４の位置とは、ヘッドスタックアセンブリ２００の回転を予め設定されたロード方向における回転限界位置にて係止するよう当接（接触）する位置となっている。
【００３８】
また、もう一箇所の当接部６０２ａは、図１０に示すように、ベアリング１１０の側方まで延設されたオーバーモールド部６００からさらに外側に向かって突出するオーバーモールド突出部６０２（突出部）の外表面にて形成されている。つまり、オーバーモールド突出部６０２は、ヘッドスタックアセンブリ２００の外周部分から外側に突出した突出部にて形成されている。そして、オーバーモールド突出部６０２の当接部６０２ａは、当該オーバーモールド突出部６０２の外表面のうち、上記オーバーモールド部６００に形成された当接部６０１ａ側を向く面に形成されている。従って、オーバーモールド部６００の当接部６０１ａと、オーバーモールド突出部６０２の当接部６０２ａとは、ストッパーピン６０４を所定の間隔をあけて挟むよう位置している。換言すると、両当接部６０１ａ，６０２ａの間に、ストッパーピン６０４が位置するよう配置されている。
【００３９】
そして、図１０の矢印Ｙ４に示すように、磁気ヘッドスライダを磁気ディスク１００上からアンロードして磁気ヘッドスライダがランプ１１８上に載置されるよう時計回り方向に回転する際には、ベアリング１１０を挟んで他端側であるボイスコイル１０６ａを当該ベアリング１１０を中心として矢印３に示すように時計回り方向に回転することとなる。このときヘッドスタックアセンブリ２００の回転が所定の回転角度に達すると、上記オーバーモールド突出部６０２の当接部６０２ａは、上述したストッパーピン６０４と当接する。なお、オーバーモールド突出部６０２の当接部６０２ａとストッパーピン６０４とが当接したときのヘッドスタックアセンブリ２００の回転角度は、磁気ヘッドスライダがアンロード方向（ランプ１１８方向）に、これ以上の回転が制限されている角度である。従って、オーバーモールド突出部６０２の当接部６０２ａの位置と、ストッパーピン６０４との位置は、ヘッドスタックアセンブリ２００の回転を予め設定されたアンロード方向における回転限界位置にて係止するよう当接（接触）する位置となっている。
【００４０】
これにより、本実施形態におけるディスク装置によると、予め設定されたヘッドスタックアセンブリ２００のロード方向、アンロード方向の回転限界位置まで回転したときに、１つのストッパーピン６０４とオーバーモールド部６００の当接部６０１ａ及びオーバーモールド突出部６０２の当接部６０２ａとが相互に当接させて、ヘッドスタックアセンブリ２００の過剰な回転を防止する。従って、ヘッドジンバルアセンブリ１１６や磁気ヘッドスライダが、ロード時にスピンドルモータ１０２のクランプ１０４や、アンロード時にランプや他の構成にクラッシュする可能性を減少させることができる。その結果、本実施形態におけるディスク装置は、信頼性が高く、構成が簡易であるため低コストであり、さらに、１つのストッパーピン及び突出部を設計しているだけであるため、小型化を図ることができる。
【００４１】
ここで、図１１に、本実施形態におけるヘッドジンバルアセンブリ２００の変形例を示す。ここでは、図１１の符号６０１ａに示すように、オーバーモールド部６００のボイルコイル１０６ａの外周に位置する当接部６０１ａが、凹状に形成されている。このとき、当接部６０１ａの凹状部分の形状を、略円柱状であるストッパーピン６０４の外形に対応して、円弧状に形成するとなお望ましい。これにより、かかる凹状の当接部６０１ａにストッパーピン６０４が当接することで、ヘッドスタックアセンブリ２００の回転をより確実に係止することができる。
【００４２】
＜実施形態４＞
次に、本発明の第４の実施形態を、図１２を参照して説明する。図１２は、本実施形態におけるディスク装置の構成を示す概略図である。
【００４３】
図１２に示すように、本実施形態では、ベアリング１１０の側方付近に、上述したオーバーモールド部６００から所定の間隔をあけて突出する２つのオーバーモールド突出部６０２，６０３が設けられており、略Ｕ字状に形成されている。そして、２つのオーバーモールド突出部６０２，６０３の相互に向かい合う内側の表面が、上述した２箇所の当接部６０２ａ，６０３ａに該当している。これにより、２つのオーバーモールド突出部６０２，６０３の間に、ストッパーピン６０４が位置している。
【００４４】
そして、図１２に示すように、磁気ヘッドスライダのアンロード時に、ヘッドスタックアセンブリ２００が時計回り方向における予め設定された回転限界位置まで回転すると、ヘッドジンバルアセンブリ１１６側に位置するオーバーモールド突出部６０２の当接部６０２ａがストッパーピン６０４と当接し、当該ヘッドスタックアセンブリ２００の回転が係止される。一方、図示しないが、磁気ヘッドスライダのロード時に、ヘッドスタックアセンブリが反時計回り方向における予め設定された回転限界位置まで回転すると、ボイスコイル１０６ａ側に位置するオーバーモールド突出部６０３の当接部６０３ａがストッパーピン６０４と当接し、当該ヘッドスタックアセンブリの回転が係止される。
【００４５】
このような構成であっても、信頼性が高く、低コストであり、さらに、小型化を図ることができるディスク装置を提供することができる。
【００４６】
なお、上述した各実施形態では、ストッパーピン６０４に当接する当接部は、ボイスコイル１０６ａの周囲に形成されたオーバーモールド部６００自体、及び／又は、その延設部であるオーバーモールド突出部６０２（６０３）に形成されている場合を例示したが、必ずしもオーバーモールド部６００に形成されていることに限定されない。例えば、ヘッドスタックアセンブリ２００自体の外周部の一部をストッパーピン６０４に当接させて上述した当接部として利用してもよく、また、オーバーモールモールド突出部６０２（６０３）と同様に機能してストッパーピン６０４に当接する部品を、別途、ヘッドスタックアセンブリ２００から突出した状態となるよう設けてもよい。また、上述したストッパーピンや当接部の位置は、必ずしも上述した位置に限定されず、ヘッドスタックアセンブリの限界回転角度や、ディスク装置の構造などに応じて、任意の位置に配置及び形成することが可能である。
【００４７】
以上、好ましい実施形態に従って本発明を説明したが、上記の実施形態に限らず、本発明の精神から逸脱せずに様々な変形、同等の組合せが可能であり、そして本発明は本明細書に記載した細部に限定されるものではない。
【産業上の利用可能性】
【００４８】
本発明は、磁気ディスクに対してデータを記録再生するディスク装置の構造として利用でき、産業上の利用可能性を有する。
【図面の簡単な説明】
【００４９】
【図１】典型的なディスク装置の部分概略図を示す。
【図２】図１に開示した典型的なディスク装置の部分概略図であり、説明のために図１に開示された多くの構成を取り除いた図である。
【図３】図２に開示したストッパーピンによって最大ロード位置あるいはロード位置限界を設定した様子を示す図である。
【図４】図２に開示したストッパーピンによって最大アンロード位置あるいはアンロード位置限界を設定した様子を示す図である。
【図５】本発明における１つのストッパーピンと協働するオーバーモールド突出部を有するＶＣＭオーバーモールドを備えたディスク装置を示す部分概略図である。
【図６】本発明においてＨＧＡが記録再生状態である場合における、１つのストッパーピンと協働するオーバーモールド突出部を有するＶＣＭオーバーモールドを備えたディスク装置を示す部分概略図である。
【図７】本発明においてＨＧＡが載置状態である場合における、１つのストッパーピンと協働するオーバーモールド突出部を有するＶＣＭオーバーモールドを備えたディスク装置を示す部分概略図である。
【図８】実施形態３におけるディスク装置の構成を示す概略図である。
【図９】図８に開示したディスク装置の動作を示す図である。
【図１０】図８に開示したディスク装置の動作を示す図である。
【図１１】実施形態３におけるディスク装置の構成の変形例を示す図である。
【図１２】実施形態４におけるディスク装置の構成を示す概略図である。
【符号の説明】
【００５０】
１００  ディスク
１０４  クランプ
１０６  ボイスコイルモータ
１１０  ベアリング
１１６  ヘッドジンバルアセンブリ
６００  オーバーモールド部
６０１ａ，６０２ａ  当接部
６０２，６０３  オーバーモールド突出部
６０４  ストッパーピン
【図１】
2008198346.tif 000003
【図２】
2008198346.tif 000004
【図３】
2008198346.tif 000005
【図４】
2008198346.tif 000006
【図５】
2008198346.tif 000007
【図６】
2008198346.tif 000008
【図７】
2008198346.tif 000009
【図８】
2008198346.tif 000010
【図９】
2008198346.tif 000011
【図１０】
2008198346.tif 000012
【図１１】
2008198346.tif 000013
【図１２】
2008198346.tif 000014